(57)【要約】  【課題】タイムシフトによるデータの再生状態を維持しながら、データの永久記録を行うことが可能な映像記録再生装置を提供する。  【解決手段】テレビ番組等のデータをハードディスクに設けたタイムシフト録画領域９ａのファイルＡに一時的に記録しつつ、記録したデータを読み込んで現在時刻から所定時間まで遡って再生しているタイムシフト中に、データの記録指令を受けると、タイムシフト録画領域９ａのファイルＡへのデータの一時記録を停止して、ハードディスクに設けた永久録画領域９ｂのファイルＢへのデータの永久記録を開始する。またこの開始とともに、ファイルＡに一時記録していたデータの最終アドレスをファイルＢに記録し、ファイルＢに永久記録し始めたデータの先頭アドレスをファイルＡに記録する。そして、ファイルＡまたはファイルＢに記録した２つのアドレスに基づいて、ファイルＡのデータとファイルＢのデータの連続した再生を行う。【選択図】  図２
2005159853.tif 000002
【特許請求の範囲】
【請求項１】
予め設定された所定時間分のデータを一時的に記録可能なタイムシフト録画領域と、データを永久的に記録可能な永久録画領域とを有するハードディスクを備え、外部から入力される映像を含んだ放送データを前記タイムシフト録画領域に記録しつつ、記録した当該データを読み込んで最大で前記所定時間まで遡って再生可能なタイムシフト機能を有し、データの記録指令を受けて、外部から入力される前記放送データを前記永久録画領域に記録する映像記録再生装置において、
前記タイムシフト録画領域または前記永久録画領域へのデータの記録を制御する記録制御手段と、
前記タイムシフト録画領域または前記永久録画領域に記録されたデータの再生を制御する再生制御手段と、を備え、  
前記記録制御手段は、タイムシフト中にデータの記録指令を受けると、前記タイムシフト録画領域へのデータの一時記録を停止して、前記永久録画領域へのデータの永久記録を開始するとともに、前記タイムシフト録画領域に一時記録していた一時記録データの最終のアドレスを、前記永久録画領域内の永久記録を開始した永久記録データ用の領域に記録し、前記永久録画領域に永久記録している永久記録データの先頭のアドレスを、前記タイムシフト録画領域内の一時記録を停止した前記一時記録データ用の領域に記録し、
前記再生制御手段は、前記記録制御手段が記録した永久記録開始前の前記一時記録データの最終のアドレスと前記永久記録データの先頭のアドレスとに基づいて、前記一時記録データと前記永久記録データの連続した再生を行い、
前記記録制御手段は、データの記録停止指令を受けると、前記永久録画領域へのデータの永久記録を停止して、永久記録開始前に前記タイムシフト録画領域に一時記録していた一時記録データの最終のアドレスの次のアドレスからタイムシフト録画領域へのデータの一時記録を再開するとともに、永久記録開始前の前記一時記録データの最終のアドレスを、前記タイムシフト録画領域内の永久記録停止後に一時記録を再開した前記一時記録データ用の領域に記録し、永久記録停止後の前記一時記録データの先頭のアドレスを、前記永久録画領域内の永久記録を停止した前記永久記録データ用の領域と、前記タイムシフト録画領域内の永久記録開始前の前記一時記録データ用の領域とに記録し、さらに先に記録した前記永久記録データの先頭のアドレスを無効にし、
前記再生制御手段は、前記記録制御手段が記録した永久記録開始前の前記一時記録データの最終のアドレスと、永久記録停止後の前記一時記録データの先頭のアドレスとに基づいて、永久記録開始前の前記一時記録データと永久記録停止後の前記一時記録データの連続した再生を行うことを特徴とする映像記録再生装置。
【請求項２】
予め設定された所定時間分のデータを一時的に記録可能なタイムシフト録画領域と、データを永久的に記録可能な永久録画領域とを有するハードディスクを備え、外部から入力される映像を含んだ放送データを前記タイムシフト録画領域に記録しつつ、記録した当該データを読み込んで最大で前記所定時間まで遡って再生可能なタイムシフト機能を有し、データの記録指令を受けて、外部から入力される前記放送データを前記永久録画領域に記録する映像記録再生装置において、
前記タイムシフト録画領域または前記永久録画領域へのデータの記録を制御する記録制御手段と、
前記タイムシフト録画領域または前記永久録画領域に記録されたデータの再生を制御する再生制御手段と、を備え、
前記記録制御手段は、タイムシフト中にデータの記録指令を受けると、前記タイムシフト録画領域へのデータの一時記録を停止して、前記永久録画領域へのデータの永久記録を開始するとともに、前記タイムシフト録画領域に一時記録していた一時記録データの最終のアドレスを、前記永久録画領域内の永久記録を開始した永久記録データ用の領域に記録し、前記永久録画領域に永久記録している永久記録データの先頭のアドレスを、前記タイムシフト録画領域内の一時記録を停止した前記一時記録データ用の領域に記録し、
前記再生制御手段は、前記記録制御手段が記録した永久記録開始前の前記一時記録データの最終のアドレスと前記永久記録データの先頭のアドレスとに基づいて、前記一時記録データと前記永久記録データの連続した再生を行い、
前記記録制御手段は、データの記録停止指令を受けると、永久録画領域へのデータの永久記録を停止して、永久記録開始前に前記タイムシフト録画領域に一時記録していた一時記録データの最終のアドレスの次のアドレスからタイムシフト録画領域へのデータの一時記録を再開するとともに、前記永久録画領域に永久記録していた永久記録データの最終のアドレスを、前記タイムシフト録画領域内の永久記録停止後に一時記録を再開した前記一時記録データ用の領域に記録し、永久記録停止後に一時記録を再開した前記一時記録データの先頭のアドレスを、前記永久録画領域内の永久記録を停止した永久記録データ用の領域に記録し、
前記再生制御手段は、前記記録制御手段が記録した永久記録開始前の前記一時記録データの最終のアドレス、前記永久記録データの先頭のアドレス、前記永久記録データの最終のアドレス、および永久記録停止後の前記一時記録データの先頭のアドレスに基づいて、永久記録開始前の前記一時記録データと前記永久記録データと永久記録停止後の前記一時記録データの連続した再生を行うことを特徴とする映像記録再生装置。
【請求項３】
予め設定された所定時間分のデータを一時的に記録可能な記録媒体の第１の記録領域に外部から入力される映像を含んだデータを記録しつつ、記録した当該データを読み込んで最大で前記所定時間まで遡って再生可能なタイムシフト機能を有し、データの記録指令を受けて、データを永久的に記録可能な記録媒体の第２の記録領域に外部から入力される前記データを記録する映像記録再生装置において、
タイムシフト中にデータの記録指令を受けると、前記第１の記録領域へのデータの一時記録を停止して、前記第２の記録領域へのデータの永久記録を開始するとともに、前記第１の記録領域に一時記録していた一時記録データの最終のアドレスと、前記第２の記録領域に永久記録している永久記録データの先頭のアドレスとを記録媒体の所定領域に記録する記録制御手段と、
前記記録制御手段が記録した前記２つのアドレスに基づいて前記一時記録データと前記永久記録データの連続した再生を行う再生制御手段と、を備えたことを特徴とする映像記録再生装置。
【請求項４】
請求項３に記載の映像記録再生装置において、
前記記録制御手段は、タイムシフト中に前記第２の記録領域へのデータの永久記録を開始した後にデータの記録停止指令を受けると、第２の記録領域へのデータの永久記録を停止して、永久記録開始前に前記第１の記録領域に一時記録していた一時記録データの最終のアドレスの次のアドレスから第１の記録領域へのデータの一時記録を再開するとともに、永久記録停止後に一時記録を再開した前記一時記録データの先頭のアドレスを記録媒体の所定領域に記録し、さらに記録媒体の所定領域に先に記録した前記永久記録データの先頭のアドレスを無効にし、
前記再生制御手段は、前記記録制御手段が記録した永久記録開始前の前記一時記録データの最終のアドレスと、永久記録停止後の前記一時記録データの先頭のアドレスとに基づいて、永久記録開始前の前記一時記録データと永久記録停止後の前記一時記録データの連続した再生を行うことを特徴とする映像記録再生装置。
【請求項５】
請求項４に記載の映像記録再生装置において、
前記記録制御手段は、
タイムシフト中に前記第２の記録領域へのデータの永久記録を開始すると、永久記録開始前の前記一時記録データの最終のアドレスを、前記第２の記録領域内の永久記録を開始した永久記録データ用の領域に記録し、永久記録を開始した前記永久記録データの先頭のアドレスを、前記第１の記録領域内の永久記録開始前の前記一時記録データ用の領域に記録し、
永久記録停止後に前記第１の記録領域へのデータの一時記録を再開すると、永久記録開始前の前記一時記録データの最終のアドレスを、前記第１の記録領域内の永久記録停止後に再開した前記一時記録データ用の領域に記録し、永久記録停止後の前記一時記録データの先頭のアドレスを、前記第１の記録領域内の永久記録開始前の前記一時記録データ用の領域に記録して、当該領域に先に記録した前記永久記録データの先頭のアドレスを無効にすることを特徴とする映像記録再生装置。
【請求項６】
請求項５に記載の映像記録再生装置において、
前記記録制御手段は、永久記録停止後に前記第１の記録領域へのデータの一時記録を再開すると、永久記録停止後の前記一時記録データの先頭のアドレスを、前記第２の記録領域内の永久記録を停止した前記永久記録データ用の領域に記録し、
前記再生制御手段は、前記永久記録データの再生中に、永久記録停止後の前記一時記録データの先頭のアドレスが前記第１の記録領域および前記第２の記録領域に記録された場合は、永久記録データの再生完了後に連続して永久記録停止後の前記一時記録データの再生を開始することを特徴とする映像記録再生装置。
【請求項７】
請求項３に記載の映像記録再生装置において、
前記記録制御手段は、タイムシフト中に前記第２の記録領域へのデータの永久記録を開始した後にデータの記録停止指令を受けると、第２の記録領域へのデータの永久記録を停止して、永久記録開始前に前記第１の記録領域に一時記録していた一時記録データの最終のアドレスの次のアドレスから第１の記録領域へのデータの一時記録を再開するとともに、永久記録を停止した永久記録データの最終のアドレスと、永久記録停止後に一時記録を再開した前記一時記録データの先頭のアドレスとを記録媒体の所定領域に記録し、
前記再生制御手段は、前記記録制御手段が記録した永久記録開始前の前記一時記録データの最終のアドレス、前記永久記録データの先頭のアドレス、前記永久記録データの最終のアドレス、および永久記録停止後の前記一時記録データの先頭のアドレスに基づいて、永久記録開始前の前記一時記録データと前記永久記録データと永久記録停止後の前記一時記録データの連続した再生を行うことを特徴とする映像記録再生装置。
【請求項８】
請求項７に記載の映像記録再生装置において、
前記記録制御手段は、
タイムシフト中に前記第２の記録領域へのデータの永久記録を開始すると、永久記録開始前の前記一時記録データの最終のアドレスを、前記第２の記録領域内の永久記録を開始した永久記録データ用の領域に記録し、永久記録を開始した前記永久記録データの先頭のアドレスを、前記第１の記録領域内の永久記録開始前の前記一時記録データ用の領域に記録し、
永久記録停止後に前記第１の記録領域へのデータの一時記録を再開すると、前記永久記録データの最終のアドレスを、前記第１の記録領域内の永久記録停止後に一時記録を再開した前記一時記録データ用の領域に記録し、永久記録停止後の前記一時記録データの先頭のアドレスを、前記第２の記録領域内の永久記録を停止した永久記録データ用の領域に記録することを特徴とする映像記録再生装置。
【発明の詳細な説明】
【技術分野】
【０００１】
本発明は、タイムシフト機能を有する映像記録再生装置に関するものである。
【背景技術】
【０００２】
テレビ番組等の映像を含んだ放送データを記録して再生する映像記録再生装置には、例えばハードディスクレコーダのようにタイムシフト機能を有するものがある。タイムシフト機能は、ハードディスクの所定の記録領域に外部から入力される放送データを所定時間分一時的に記録しつつ、記録した当該データに対して所定の処理を行う機能である。この機能により、ハードディスクの所定の記録領域に一時的に記録したデータを、読み込んで最大で上記所定時間まで遡って再生することが可能であり、また、再生するデータの早送り、巻戻し、または一時停止等も行うことが可能である。タイムシフトによりデータが記録されるハードディスクの所定の記録領域（以下、タイムシフト録画領域という）は、リングバッファとして用いられていて、予め設定された所定時間分のデータが記録されると、それ以降のデータは記録されたデータのうち最も古いデータに上書き記録される。このようにタイムシフト録画領域にデータを一時的に記録するのは、ハードディスクの記録領域を有効に活用するためである。
【０００３】
上記のようなタイムシフト機能を有する装置では、通常、録画キーが操作されたり、予約録画機能（タイマ録画機能）の録画開始時刻になったりすると、上述したタイムシフト録画領域とは別の領域（以下、永久録画領域という）に、放送データを永久的に記録して保存するようになっている。このように永久記録時（録画時）とタイムシフトの記録時とでデータの記録領域を区分しているのは、タイムシフト録画領域がリングバッファとして用いられているので、このタイムシフト録画領域に永久記録時のデータを記録すると、当該データを永久保存することができなくなるからである。
【０００４】
ところで、タイムシフト時に一時的に記録したデータを、後で永久的に記録する技術が、下記の特許文献１、２に記載されている。特許文献１では、タイムシフト中に録画キーが操作されると、タイムシフト録画領域へのデータの記録を停止して、永久録画領域へのデータの記録を開始し、永久録画領域へのデータの記録を終了した後に、タイムシフト録画領域に記録されているタイムシフトで遡っていた時刻から永久録画領域へのデータの記録開始時刻までの時間に相当する分のデータを永久録画領域に転写することで、当該時間のデータを抜け落ちることなく永久的に記録している。また、特許文献２では、永久記録時とタイムシフトの記録時とでデータの記録領域を予め区分しておかず、同じ領域に連続して記録し、タイムシフト中にデータを永久的に記録する要求が受信されると、先に記録していたタイムシフトのデータを永久記録のデータに変換して記録することで、データを永久的に記録している。
【特許文献１】特開２００３−１３４４６４号公報
【特許文献２】特開２００２−３５４４２３号公報
【発明の開示】
【発明が解決しようとする課題】
【０００５】
従来のタイムシフト機能を有する装置では、タイムシフトによるデータの再生中に、録画キーや予約録画機能によりデータの永久的な記録が指示された場合には、上述した特許文献１のようにタイムシフト録画領域へのデータの一次記録を停止して、永久録画領域へのデータの永久記録を開始していた。しかし、このようにデータの記録位置がタイムシフト録画領域から永久録画領域へと突然飛んでしまうと、永久録画領域へのデータの記録開始時にタイムシフト録画領域に記録されていたデータが消失された状態となり、当該データの再生が強制的に終了されるという問題があった。また、再生の強制終了後は、タイムシフト録画領域に記録されていたデータを再生できないという問題があった。これに対して、特許文献１のように、永久記録の終了後に、タイムシフトで遡っていた時刻から永久記録の開始時刻までの時間のデータを永久録画領域に転写すると、転写したデータは後で再生することができるが、タイムシフトで遡っていた時刻よりの前のデータを再生することや、永久記録中にタイムシフトによってデータを再生することはできない。また、特許文献２のように、タイムシフトの記録時と永久記録時とでデータを同一の領域に連続して記録すると、永久記録の開始後もタイムシフトによってデータを再生することはできるが、上述したように従来の装置では、タイムシフトの記録時と永久記録時とでデータを別々の領域に記録するので、両方のデータを連続して記録することはできない。
【０００６】
本発明は、上記問題点を解決するものであって、その課題とするところは、タイムシフトによるデータの再生状態を維持しながら、データの永久記録を行うことが可能な映像記録再生装置を提供することにある。
【課題を解決するための手段】
【０００７】
本発明では、予め設定された所定時間分のデータを一時的に記録可能な記録媒体の第１の記録領域に外部から入力される映像を含んだデータを記録しつつ、記録した当該データを読み込んで最大で前記所定時間まで遡って再生可能なタイムシフト機能を有し、データの記録指令を受けて、データを永久的に記録可能な記録媒体の第２の記録領域に外部から入力されるデータを記録する映像記録再生装置において、タイムシフト中にデータの記録指令を受けると、第１の記録領域へのデータの一時記録を停止して、第２の記録領域へのデータの永久記録を開始するとともに、第１の記録領域に一時記録していた一時記録データの最終のアドレスと、第２の記録領域に永久記録している永久記録データの先頭のアドレスとを記録媒体の所定領域に記録する記録制御手段と、記録制御手段が記録した２つのアドレスに基づいて一時記録データと永久記録データの連続した再生を行う再生制御手段とを設ける。
【０００８】
上記のように、タイムシフト中に第２の記録領域へのデータの永久記録を開始するとともに、第１の記録領域に一時記録していた一時記録データの最終のアドレスと、第２の記録領域に永久記録している永久記録データの先頭のアドレスとを記録媒体の所定領域に記録することで、これら２つアドレスから第１の記録領域の一時記録データと第２の記録領域の永久記録データとを１つのデータとして扱えるようになり、永久記録開始前の一時記録データが消失されるのを防止することができる。よって、第２の記録領域へのデータの永久記録開始後も、第１の記録領域の一時記録データの再生を継続して行うことができ、当該データの再生完了後は、永久記録データの先頭のアドレスにより、第２の記録領域に記録し始めた永久記録データの再生を連続して開始することができる。即ち、タイムシフトによるデータの再生状態を維持しながら、データの永久記録を行うことが可能となる。また、データの早送り時に、永久記録データの先頭のアドレスにより、第１の記録領域の一時記録データから第２の記録領域の永久記録データへと再生位置を移動させることができ、データの巻戻し時に、一時記録データの最終のアドレスにより、第２の記録領域の永久記録データから第１の記録領域の一時記録データへと再生位置を移動させることができる。
【０００９】
また、本発明の実施形態においては、記録制御手段は、タイムシフト中に第２の記録領域へのデータの永久記録を開始した後にデータの記録停止指令を受けると、第２の記録領域へのデータの永久記録を停止して、永久記録開始前に第１の記録領域に一時記録していた一時記録データの最終のアドレスの次のアドレスから第１の記録領域へのデータの一時記録を再開するとともに、永久記録停止後に一時記録を再開した一時記録データの先頭のアドレスを記録媒体の所定領域に記録し、さらに記録媒体の所定領域に先に記録した永久記録データの先頭のアドレスを無効にする。再生制御手段は、記録制御手段が記録した永久記録開始前の一時記録データの最終のアドレスと、永久記録停止後の一時記録データの先頭のアドレスとに基づいて、永久記録開始前の一時記録データと永久記録停止後の一時記録データの連続した再生を行う。
【００１０】
上記のように、タイムシフト中に開始したデータの永久記録の停止後に、第１の記録領域へのデータの一時記録を再開するとともに、永久記録停止後の一時記録データの先頭のアドレスを記録媒体の所定領域に記録して、先に記録した永久記録データの先頭のアドレスを無効にすることで、永久記録開始前の一時記録データの最終のアドレスと、永久記録停止後の一時記録データの先頭のアドレスとから、第１の記録領域に記録された永久記録前後の２つの一時記録データを１つのデータとして扱えるようになり、永久記録開始前の一時記録データが消失されるのを防止することができる。また、永久記録開始前に第１の記録領域に一時記録していた一時記録データの最終のアドレスの次のアドレスから第１の記録領域へのデータの一時記録を再開することで、永久記録開始前の一時記録データが永久記録停止後の一時記録データによって上書きされて消去されるのを防止することができる。よって、第１の記録領域へのデータの一時記録再開後も、永久記録開始前の一時記録データの再生を継続して行うことができ、当該データの再生完了後は、永久記録停止後の一時記録データの先頭のアドレスにより、永久記録停止後の一時記録データの再生を連続して開始することができる。また、データの早送り時に、永久記録停止後の一時記録データの先頭のアドレスにより、第１の記録領域の永久記録開始前の一時記録データから永久記録停止後の一時記録データへと再生位置を移動させることができ、データの巻戻し時に、永久記録開始前の一時記録データの最終のアドレスにより、第１の記録領域の永久記録停止後の一時記録データから永久記録開始前の一時記録データへと再生位置を移動させることができる。
【００１１】
また、本発明の実施形態においては、記録制御手段は、タイムシフト中に第２の記録領域へのデータの永久記録を開始すると、当該永久記録開始前の一時記録データの最終のアドレスを、第２の記録領域内の永久記録を開始した永久記録データ用の領域に記録し、永久記録を開始した永久記録データの先頭のアドレスを、第１の記録領域内の永久記録開始前の一時記録データ用の領域に記録する。このようにすることで、永久記録開始前の一時記録データの再生中に永久記録データの先頭のアドレスを読み込め、永久記録データの再生中に永久記録開始前の一時記録データの最終のアドレスを読み込めるので、永久記録開始前の一時記録データと永久記録データとの間で、再生位置を迅速に移動させることができる。また、記録制御手段は、永久記録停止後に第１の記録領域へのデータの一時記録を再開すると、永久記録開始前の一時記録データの最終のアドレスを、第１の記録領域内の永久記録停止後に再開した一時記録データ用の領域に記録し、永久記録停止後の一時記録データの先頭のアドレスを、第１の記録領域内の永久記録開始前の一時記録データ用の領域に記録して、当該領域に先に記録した永久記録データの先頭のアドレスを無効にする。このようにすることで、永久記録開始前の一時記録データの再生中に永久記録停止後の一時記録データの先頭のアドレスを読み込め、永久記録停止後の一時記録データの再生中に永久記録開始前の一時記録データの最終のアドレスを読み込めるので、永久記録前後の一時記録データ間で、再生位置を迅速に移動させることができる。
【００１２】
また、本発明の実施形態においては、記録制御手段は、永久記録停止後に第１の記録領域へのデータの一時記録を再開すると、永久記録停止後の一時記録データの先頭のアドレスを、第２の記録領域内の永久記録を停止した永久記録データ用の領域に記録する。この場合、再生制御手段は、永久記録データの再生中に、永久記録停止後の一時記録データの先頭のアドレスが第１の記録領域および第２の記録領域に記録された場合は、永久記録データの再生完了後に連続して永久記録停止後の一時記録データの再生を開始する。このようにすることで、永久記録データの再生中に、第２の記録領域へのデータの永久記録が停止されて、第１の記録領域へのデータの一時記録が再開された場合に、永久記録データの再生が強制終了されることなく、永久記録データの再生を最後まで正常に完了した後に、永久記録データ用の領域に記録した永久記録停止後の一時記録データの先頭のアドレスにより、永久記録停止後の一時記録データの再生を連続して開始することができる。また、永久記録データの再生中に永久記録停止後の一時記録データの先頭のアドレスが読み込めるので、永久記録データから永久記録停止後の一時記録データへと再生位置を迅速に移動させることができる。
【００１３】
また、本発明の他の実施形態においては、記録制御手段は、タイムシフト中に第２の記録領域へのデータの永久記録を開始した後にデータの記録停止指令を受けると、第２の記録領域へのデータの永久記録を停止して、永久記録開始前に第１の記録領域に一時記録していた一時記録データの最終のアドレスの次のアドレスから第１の記録領域へのデータの一時記録を再開するとともに、永久記録を停止した永久記録データの最終のアドレスと、永久記録停止後に一時記録を再開した一時記録データの先頭のアドレスとを記録媒体の所定領域に記録する。再生制御手段は、記録制御手段が記録した永久記録開始前の一時記録データの最終のアドレス、永久記録データの先頭のアドレス、永久記録データの最終のアドレス、および永久記録停止後の一時記録データの先頭のアドレスに基づいて、永久記録開始前の一時記録データと永久記録データと永久記録停止後の一時記録データの連続した再生を行う。
【００１４】
上記のように、タイムシフト中に開始したデータの永久記録の停止後に、第１の記録領域へのデータの一時記録を再開するとともに、永久記録データの最終のアドレスと永久記録停止後の一時記録データの先頭のアドレスとを記録媒体の所定領域に記録することで、永久記録開始前の一時記録データの最終のアドレス、永久記録データの先頭と最終のアドレス、および永久記録停止後の一時記録データの先頭のアドレスから、永久記録開始前の一時記録データと永久記録データと永久記録停止後の一時記録データとを１つのデータとして扱えるようになり、永久記録開始前の一時記録データが消失されるのを防止することができる。また、永久記録開始前に第１の記録領域に一時記録していた一時記録データの最終のアドレスの次のアドレスから第１の記録領域へのデータの一時記録を再開することで、永久記録開始前の一時記録データが永久記録停止後の一時記録データによって上書きされて消去されるのを防止することができる。よって、第１の記録領域へのデータの一時記録再開後も、永久記録開始前の一時記録データの再生を継続して行うことができ、当該データの再生完了後は、永久記録データの先頭のアドレスにより、永久記録データの再生を連続して開始することができ、さらに永久記録データの再生完了後は、永久記録停止後の一時記録データの先頭のアドレスにより、永久記録停止後の一時記録データの再生を連続して開始することができる。また、データの早送り時に、永久記録データの先頭のアドレスと永久記録停止後の一時記録データの先頭のアドレスとにより、永久記録開始前の一時記録データから、永久記録データと永久記録停止後の一時記録データとへ再生位置を移動させることができ、データの巻戻し時に、永久記録データの最終のアドレスと永久記録開始前の一時記録データの最終のアドレスとにより、永久記録停止後の一時記録データから、永久記録データと永久記録開始前の一時記録データとへ再生位置を移動させることができる。
【００１５】
また、本発明の他の実施形態においては、記録制御手段は、タイムシフト中に第２の記録領域へのデータの永久記録を開始すると、永久記録開始前の一時記録データの最終のアドレスを、第２の記録領域内の永久記録を開始した永久記録データ用の領域に記録し、永久記録を開始した永久記録データの先頭のアドレスを、第１の記録領域内の永久記録開始前の一時記録データ用の領域に記録する。このようにすることで、永久記録開始前の一時記録データの再生中に永久記録データの先頭のアドレスを読み込め、永久記録データの再生中に永久記録開始前の一時記録データの最終のアドレスを読み込めるので、タイムシフト中に永久記録を開始した後に、永久記録開始前の一時記録データと永久記録データとの間で、再生位置を迅速に移動させることができる。また、記録制御手段は、永久記録停止後に第１の記録領域へのデータの一時記録を再開すると、永久記録データの最終のアドレスを、第１の記録領域内の永久記録停止後に再開した一時記録データ用の領域に記録し、永久記録停止後の一時記録データの先頭のアドレスを、第２の記録領域内の記録を停止した永久記録データ用の領域に記録する。このようにすることで、永久記録データの再生中に永久記録停止後の一時記録データの先頭のアドレスを読み込め、永久記録停止後の一時記録データの再生中に永久記録データの最終のアドレスを読み込めるので、永久記録データと永久記録停止後の一時記録データとの間で、再生位置を迅速に移動させることができる。
【００１６】
さらに、本発明の典型例では、記録媒体としてハードディスクを用い、このハードディスクに、予め設定された所定時間分のデータを一時的に記録可能な第１の記録領域としてタイムシフト録画領域を設けるとともに、データを永久的に記録可能な第２の記録領域として永久録画領域を設ける。そして、タイムシフト中は、外部から入力される放送データをタイムシフト録画領域に一時的に記録し、データの記録指令を受けたときは、外部から入力される放送データを永久録画領域に永久的に記録する。本典型例以外に、例えばタイムシフト中は、放送データをハードディスクのタイムシフト録画領域に一時的に記録し、データの記録指令を受けたときは、放送データをＤＶＤのような映像記録再生装置に着脱可能なディスクの記録領域に永久的に記録するようにしてもよいが、上記典型例のようにタイムシフトのデータと永久録画のデータとを、それぞれハードディスクのタイムシフト録画領域と永久録画領域とに記録すると、一方の領域に記録したデータの再生終了後に、他方の領域に記録したデータを迅速に読み出してスムーズに再生することができる。
【発明の効果】
【００１７】
本発明によれば、第１の記録領域に一時記録した一時記録データと、第２の記録領域に永久記録した永久記録データとを１つのデータとして扱えるようになるので、永久記録開始前の一時記録データが消失されるのを防止することができ、タイムシフトによるデータの再生状態を維持しながら、データの永久記録を行うことが可能となる。
【発明を実施するための最良の形態】
【００１８】
図１は、本発明に係る映像記録再生装置の一実施形態を構成するＨＤＤ／ＤＶＤレコーダの電気的構成を示すブロック図である。図１において、破線で囲んだ部分がＨＤＤ／ＤＶＤレコーダ１０の本体部である。このＨＤＤ／ＤＶＤレコーダ１０は、後述するハードディスク９の所定の記録領域に外部から入力される映像を含んだ放送データを所定時間分一時的に記録しつつ、記録した当該データに対して所定の処理を行うタイムシフト機能を有している。タイムシフト機能では、ハードディスク９の所定の記録領域に一時的に記録したデータを、読み込んで最大で上記所定時間まで遡って再生することが可能であり、また、再生するデータの早送り、巻戻し、または一時停止等も行うことが可能である。
【００１９】
１はＨＤＤ／ＤＶＤレコーダ１０の各部を制御する制御部であって、ＣＰＵ１ａ、ＲＡＭやＲＯＭのようなメモリ１ｂ、および再生や録画等の時間をカウントするカウンタ１ｃ等から構成されている。２はテレビ番組等の放送電波を受信するアンテナ、３はアンテナ２で受信した放送電波から映像を含んだアナログの信号を抽出するチューナである。４は信号処理部であって、アナログやデジタルの信号処理用の回路から構成されている。この信号処理部４は、チューナ３から入力されるアナログの信号を、テレビジョン受像機（以下、テレビという）３０に出力したり、デジタル化した後にＭＰＥＧ２（Ｍｏｖｉｎｇ  Ｐｉｃｔｕｒｅ  Ｅｘｐｅｒｔｓ  Ｇｒｏｕｐ  Ｐｈａｓｅ２）形式等の圧縮されたデータに処理してディスク読書部５や制御部１に出力する。ディスク読書部５は、ピックアップやピックアップ駆動回路やディスク駆動回路等から構成されている。このディスク読書部５は、信号処理部４から出力されるデータをＤＶＤ（Ｄｉｇｉｔａｌ  Ｖｅｒｓａｔｉｌｅ  Ｄｉｓｋ）２０に記録したり、ＤＶＤ２０に記録されているデータを読み込んで信号処理部４に出力したりする。信号処理部４は、ディスク読書部５から出力されるＤＶＤ２０のデータを再生し、アナログの信号に処理した後テレビ３０に出力する。テレビ３０は信号処理部４から出力されるアナログの信号に基づいてＣＲＴ等のモニタに映像を映し出し、スピーカから音声を出力する。
【００２０】
６はリモコン１１からのコントロール信号を受信するリモコン受信部、７は時間やＨＤＤ／ＤＶＤレコーダ１０の動作状態等を表示するＦＬＤ（蛍光表示管）やＬＥＤランプ等を備えた表示部、８はＨＤＤ／ＤＶＤレコーダ１０の前面等に設けられたボタンやスイッチ等を備えた操作部である。リモコン１１と操作部８には、再生、録画、早送り、巻戻し、および停止といったＨＤＤ／ＤＶＤレコーダ１０の動作を指示するために操作するキーが備わっている。また、予約録画（タイマー録画）を設定するためのキー等も備わっている。
【００２１】
ハードディスク９は、予め設定された所定時間分のデータを一時的に記録可能なリングバッファであるタイムシフト録画領域と、データを永久的に記録可能な永久録画領域とを有している。制御部１は、ＨＤＤ／ＤＶＤレコーダ１０の電源スイッチがＯＮ状態にされたり、専用のキー等が操作されたりすることにより、上述したタイムシフトを開始すると、外部からアンテナ２とチューナ３を通じて入力されて信号処理部４で圧縮処理されたテレビ番組等のデータを、ハードディスク９のタイムシフト録画領域に一時的に記録しつつ、記録した当該データを読み込んで所定時間まで遡って信号処理部４によって再生する。タイムシフトによりデータを遡って再生する所定時間は、０分、３０分、１時間、２時間等のように、ユーザによって任意に設定される。例えば所定時間として２時間が設定されると、現在の時刻から２時間前まで遡ってデータを再生する。このように現在の時刻から遡ってデータを再生することをタイムシフトのＤｅｌａｙ再生という。また、所定時間として０分が設定されると、時間を遡ることなく現在の時刻に相当するデータを再生する。このように現在の時刻のデータを再生することをタイムシフトのＬｉｖｅ再生という。再生されたデータは、信号処理部４によって処理された後にテレビ３０に出力され、上述したようにテレビ３０のモニタに映像として映し出され、スピーカから音声として出力される。
【００２２】
また、制御部１は、リモコン１１や操作部８に備わる録画キーが操作されたり、予め設定されていた予約録画の録画開始時刻になったりして、データの記録指令を受けると、外部から入力されて信号処理部４で圧縮処理されたテレビ番組等のデータを、ハードディスク９の永久録画領域に永久的に記録して保存する。制御部１は、このように永久録画領域に永久記録したデータも、後述するように読み込んで信号処理部４によって再生する。
【００２３】
以上の構成において、制御部１は、本発明における記録制御手段と再生制御手段の一実施形態をそれぞれ構成する。ハードディスク９は、本発明における記録媒体の一実施形態を構成する。
【００２４】
図２〜図４は、ＨＤＤ／ＤＶＤレコーダ１０の動作手順を説明するための図である。図２はタイムシフト中のデータの記録手順を示し、図３はタイムシフト中のＬｉｖｅ再生手順を示し、図４はタイムシフト中のＤｅｌａｙ再生手順を示している。各図におけるタイムシフト録画領域９ａと永久録画領域９ｂは、前述のハードディスク９に設けられたタイムシフト録画領域と永久録画領域を概念的に示したものである。本例では、タイムシフト録画領域９ａの最大データ記録時間は、２時間に設定されている。タイムシフト録画領域９ａは、本発明におけるタイムシフト録画領域と第１の記録領域の一実施形態をそれぞれ構成する。永久録画領域９ｂは、本発明における永久録画領域と第２の記録領域の一実施形態をそれぞれ構成する。図２におけるＲＰはデータの記録位置を示すものであり、図３および図４におけるＰＰはデータの再生位置を示すものである。
【００２５】
最初に、図２において、前述の制御部１は、ＨＤＤ／ＤＶＤレコーダ１０の電源スイッチがＯＮ状態にされたこと等を受けてタイムシフトを開始すると、ハードディスク９のタイムシフト録画領域９ａにこれから記録するテレビ番組等のデータ用の格納領域としてファイルＡを作成し、当該ファイルＡへのデータの一時的な記録を開始する。図２（ａ）は、タイムシフト録画領域９ａのファイルＡにデータをある程度記録した状態を示している。そして、図２（ｂ）に示すように予め設定された予約録画の開始時刻ＡＭ１０：００になってデータの記録指令を受けると、制御部１は、タイムシフト録画領域９ａのファイルＡへのデータの一時記録を停止して、図２（ｃ）に示すように永久録画領域９ｂにこれから記録する予約されたテレビ番組等のデータ用の格納領域としてファイルＢを作成し、当該ファイルＢに記録位置ＲＰを移動してデータの永久的な記録を開始する。またこの開始とともに、制御部１は、ファイルＡに一時記録していたデータの最終アドレスを、データの永久記録を開始したファイルＢに記録し、ファイルＢに永久記録しているデータの先頭アドレスを、データの一時記録を停止したファイルＡに記録する。この後、制御部１は、図２（ｄ）に示すように永久録画領域９ｂのファイルＢにデータを随時記録して行く。なお、ファイルＡまたはファイルＢに記録するデータは、同一のテレビ番組等であったり、異なるテレビ番組等であったりする。
【００２６】
上記のようにタイムシフト録画領域９ａまたは永久録画領域９ｂにデータを記録するのと同時に、制御部１は、記録したデータの再生を行う。図３のＬｉｖｅ再生手順では、制御部１は、図３（ａ）に示すようにタイムシフト録画領域９ａのファイルＡに一時記録している現在の時刻に相当するデータの再生を行っている。この後、図３（ｂ）に示すように予約録画の開始時刻ＡＭ１０：００になると、制御部１は、前述したように永久録画領域９ｂに作成したファイルＢへのデータの永久記録を開始するとともに、ファイルＢに永久記録しているデータの先頭アドレスをファイルＡに記録するので、当該アドレスをファイルＡから読み込んで、再生位置ＰＰを、図３（ｃ）に示すようにファイルＢのデータの先頭アドレスに移動する。移動後、制御部１は、ファイルＢに記録している現在時刻のデータの再生を即座に開始する。その後、図３（ｄ）に示すようにファイルＢに記録している現在時刻のデータの再生中に、前述のリモコン１１または操作部８の巻戻しキーが操作されてデータの巻戻し指令を受けると、制御部１は、再生位置ＰＰを、図３（ｅ）に矢印で示すようにファイルＢのデータの先頭アドレスに向けて移動して行く。そして、再生位置ＰＰをファイルＢのデータの先頭アドレスまで移動すると、制御部１は、タイムシフト領域９ａのファイルＡに一時記録していたデータの最終アドレスを既にファイルＢに記録しているので、当該アドレスをファイルＢから読み込み、巻戻し指令に基づいて再生位置ＰＰを矢印で示すようにファイルＡのデータの最終アドレスへ移動し、さらにファイルＡのデータの先頭アドレスに向けて移動して行く。なお、上記では、再生位置ＰＰをファイルＢのデータの先頭アドレスまで移動したときに、ファイルＡのデータの最終アドレスをファイルＢから読み込むようにしているが、当該アドレスの読み込みのタイミングはこれのみに限定するものではない。これ以外に、例えば巻戻し指令を受けたときや、再生位置ＰＰをファイルＢのデータの先頭アドレスに向けて移動して行くときに、ファイルＡのデータの最終アドレスをファイルＢから読み込むようにしてもよい。
【００２７】
一方、図４のＤｅｌａｙ再生手順では、制御部１は、図４（ａ）に示すようにタイムシフト録画領域９ａのファイルＡに一時記録しているデータのうち、現在時刻（ここではＡＭ１０：００）から所定時間遡った時刻に相当するデータの再生を行っている。この後、図４（ｂ）に示すように再生位置ＰＰがファイルＡに記録したデータの最終アドレスに到達して、当該データの再生が完了すると、制御部１は、前述したように永久録画領域９ｂに作成したファイルＢへのデータの永久記録を既に開始していて、ファイルＢのデータの先頭アドレスを既にファイルＡに記録しているので、当該アドレスをファイルＡから読み込んで、再生位置ＰＰを矢印で示すようにファイルＢのデータの先頭アドレスに移動する。移動後、制御部１は、ファイルＢに記録したデータの再生を即座に開始する。その後、図４（ｃ）に示すように現在時刻から所定時間遡ったファイルＢのデータの再生中に、データの巻戻し指令を受けると、制御部１は、再生位置ＰＰを矢印で示すようにファイルＢのデータの先頭アドレスに向けて移動して行く。そして、再生位置ＰＰをファイルＢのデータの先頭アドレスまで移動すると、制御部１は、タイムシフト領域９ａのファイルＡに記録したデータの最終アドレスを既にファイルＢに記録しているので、当該アドレスをファイルＢから読み込み、巻戻し指令に基づいて再生位置ＰＰを矢印で示すようにファイルＡのデータの最終アドレスへ移動し、さらにファイルＡのデータの先頭アドレスに向けて移動して行く。
【００２８】
また、図４（ｄ）に示すように現在時刻から所定時間遡ったファイルＡのデータの再生中に、データの早送り指令を受けると、制御部１は、再生位置ＰＰを矢印で示すようにファイルＡのデータの最終アドレスに向けて移動して行く。そして、再生位置ＰＰをファイルＡのデータの最終アドレスまで移動すると、制御部１は、永久録画領域９ｂのファイルＢに記録したデータの先頭アドレスを既にファイルＡに記録しているので、当該アドレスをファイルＡから読み込み、早送り指令に基づいて再生位置ＰＰを矢印で示すようにファイルＢのデータの先頭アドレスへ移動し、さらにファイルＢの現在時刻のデータが記録されているアドレスに向けて移動して行く。なお、上記では、再生位置ＰＰをファイルＡのデータの最終アドレスまで移動したときに、ファイルＢのデータの先頭アドレスをファイルＡから読み込むようにしているが、当該アドレスの読み込みのタイミングはこれのみに限定するものではない。これ以外に、例えば早送り指令を受けたときや、再生位置ＰＰをファイルＡのデータの最終アドレスに向けて移動して行くときに、ファイルＢのデータの先頭アドレスをファイルＡから読み込むようにしてもよい。
【００２９】
上述したように、タイムシフト中に永久録画領域９ｂのファイルＢへのデータの永久記録を開始するとともに、タイムシフト録画領域９ａのファイルＡに一時記録していたデータの最終アドレスをファイルＢに記録し、ファイルＢに永久記録しているデータの先頭アドレスをファイルＡに記録することで、タイムシフト録画領域９ａのファイルＡのデータと永久録画領域９ｂのファイルＢのデータとを１つのデータとして扱えるようになり、永久記録開始前に一時記録したファイルＡのデータが消失されるのを防止することができる。よって、Ｄｅｌａｙ再生時では、永久録画領域９ｂのファイルＢへのデータの永久記録開始後も、タイムシフト録画領域９ａのファイルＡのデータの再生を継続して行うことができ、Ｌｉｖｅ再生時およびＤｅｌａｙ再生時ともに、ファイルＡのデータの再生完了後は、ファイルＡに記録したファイルＢのデータの先頭アドレスにより、永久録画領域９ｂのファイルＢのデータの再生を連続して開始することができる。即ち、タイムシフトによるデータの再生状態を維持しながら、データの永久記録を行うことが可能となる。また、データの巻戻し時には、ファイルＢに記録したファイルＡのデータの最終アドレスにより、永久録画領域９ｂのファイルＢのデータからタイムシフト録画領域９ａのファイルＡのデータへと再生位置ＰＰを移動させることができる。さらに、データの早送り時には、ファイルＡに記録したファイルＢのデータの先頭アドレスにより、タイムシフト録画領域９ａのファイルＡのデータから永久録画領域９ｂのファイルＢのデータへと再生位置ＰＰを移動させることができる。
【００３０】
さらに、上述したように、ファイルＡに一時記録していたデータの最終アドレスを、直後にデータの永久記録を開始したファイルＢに記録し、ファイルＢに永久記録し始めたデータの先頭アドレスを、直前までデータを一時記録していたファイルＡに記録することで、ファイルＡのデータの再生中にファイルＢのデータの先頭アドレスを読み込め、ファイルＢのデータの再生中にファイルＡのデータの最終アドレスを読み込めるので、ファイルＡのデータとファイルＢのデータとの間で、再生位置ＰＰを迅速に移動させることができる。
【００３１】
図５〜図７Ｂは、ＨＤＤ／ＤＶＤレコーダ１０の他の動作手順を説明するための図である。なお、各動作手順は、図２〜図４で説明した動作を行った後に実行される。図５はタイムシフト中のデータの記録手順を示し、図６はタイムシフト中のＬｉｖｅ再生手順を示し、図７Ａおよび図７Ｂはタイムシフト中のＤｅｌａｙ再生手順を示している。
【００３２】
最初に、図５において、制御部１は、前述したように予約録画の開始時刻にデータの記録指令を受けて、タイムシフト録画領域９ａのファイルＡへのデータの一時記録を停止し、永久録画領域９ｂのファイルＢへのデータの永久記録を開始した後、図５（ａ）に示すようにファイルＢにデータを随時永久記録している。このとき、ファイルＡに一時記録したデータの最終アドレスは、ファイルＢに記録されていて、ファイルＢに永久記録しているデータの先頭アドレスは、ファイルＡに記録されている。この後、図５（ｂ）に示すように予め設定された予約録画の終了時刻ＡＭ１０：３０になってデータの記録停止指令を受けると、制御部１は、永久録画領域９ｂのファイルＢへのデータの永久記録を停止する。そして直後に、制御部１は、タイムシフト録画領域９ａのファイルＡの最終アドレスの次のアドレスにこれから記録するデータ用の格納領域として、図５（ｃ）に示すようにファイルＣを作成し、当該ファイルＣに記録位置ＲＰを移動してデータの一時記録を再開する。またこの再開とともに、制御部１は、ファイルＡに一時記録したデータの最終アドレスを、データの一時記録を再開したファイルＣに記録し、ファイルＣに一時記録しているデータの先頭アドレスを、データの永久記録を停止したファイルＢに記録する。さらに、制御部１は、ファイルＡに先に記録したファイルＢのデータの先頭アドレスに、ファイルＣに一時記録しているデータの先頭アドレスを上書き記録して、ファイルＢのデータの先頭アドレスを無効にする。この後、制御部１は、図５（ｄ）に示すようにタイムシフト録画領域９ａのファイルＣにデータを随時記録して行く。なお、ファイルＡ、ファイルＢ、またはファイルＣに記録するデータは、同一のテレビ番組等であったり、異なるテレビ番組等であったりする。また、上記では、ファイルＢのデータの先頭アドレスにファイルＣのデータの先頭アドレスを上書きすることにより、ファイルＢのデータの先頭アドレスを無効にしているが、アドレスの無効化はこれのみに限定するものではない。これ以外に、例えばファイルＢのデータの先頭アドレスを残したまま、ファイルＣのデータの先頭アドレスをファイルＡに記録し、記録日時の新しいアドレスを有効にし、古いアドレスを無効にするようにしてもよい。
【００３３】
上記のようにタイムシフト録画領域９ａまたは永久録画領域９ｂにデータを記録するのと同時に、制御部１は、記録したデータの再生を行う。図６のＬｉｖｅ再生手順では、制御部１は、図６（ａ）に示すように永久録画領域９ｂのファイルＢに永久記録している現在時刻に相当するデータの再生を行っている。この後、図６（ｂ）に示すように予約録画の終了時刻ＡＭ１０：３０になると、制御部１は、前述したようにタイムシフト録画領域９ａに作成したファイルＣへのデータの一時記録を開始するとともに、ファイルＣに永久記録しているデータの先頭アドレスをファイルＡとファイルＢとに記録するので、当該アドレスをデータ再生中のファイルＢから読み込んで、再生位置ＰＰを、図６（ｃ）に示すようにファイルＣのデータの先頭アドレスに移動する。移動後、制御部１は、ファイルＣに記録している現在時刻のデータの再生を即座に開始する。その後、図６（ｄ）に示すようにファイルＣに記録している現在時刻のデータの再生中に、データの巻戻し指令を受けると、制御部１は、再生位置ＰＰをファイルＣのデータの先頭アドレスに向けて移動して行く。そして、再生位置ＰＰをファイルＣのデータの先頭アドレスまで移動すると、制御部１は、タイムシフト領域９ａのファイルＡに一時記録したデータの最終アドレスを既にファイルＣに記録しているので、当該アドレスをファイルＣから読み込み、巻戻し指令に基づいて再生位置ＰＰを、矢印で示すようにファイルＡのデータの最終アドレスへ移動し、さらにファイルＡのデータの先頭アドレスに向けて移動して行く。
【００３４】
一方、図７Ａおよび図７ＢのＤｅｌａｙ再生手順では、制御部１は、図７Ａ（ａ）に示すようにタイムシフト録画領域９ａのファイルＡに一時記録したデータのうち、現在時刻から所定時間遡った時刻に相当するデータの再生を行っている。このとき同時に、制御部１は、前述したように永久録画領域９ｂのファイルＢへのデータの永久記録を行っている。そして、図７Ａ（ｂ）に示すように再生位置ＰＰがファイルＡに記録したデータの最終アドレスに到達して、当該データの再生が完了したときに、ファイルＢへのデータの永久記録を停止済みで、ファイルＣへのデータの一時記録中であれば、制御部１は、ファイルＣのデータの先頭アドレスを既にファイルＡに上書き記録していて、ファイルＢのデータの先頭アドレスを無効にしているので、ファイルＣのデータの先頭アドレスをファイルＡから読み込んで、再生位置ＰＰをファイルＣのデータの先頭アドレスに移動する。そして移動後、制御部１は、ファイルＣに記録したデータの再生を即座に開始する。
【００３５】
上記に対して、図７Ａ（ｃ）に示すように再生位置ＰＰがファイルＡに記録したデータの最終アドレスに到達して、当該データの再生が完了したときに、ファイルＢへのデータの永久記録中であれば、制御部１は、ファイルＢのデータの先頭アドレスを既にファイルＡに記録しているので、ファイルＢのデータの先頭アドレスをファイルＡから読み込んで、再生位置ＰＰを矢印で示すようにファイルＢのデータの先頭アドレスに移動する。そして移動後、制御部１は、ファイルＢに記録したデータの再生を即座に開始する。この後、図７Ａ（ｄ）に示すように再生位置ＰＰがファイルＢに記録したデータの最終アドレスに到達して、当該データの再生が完了すると、制御部１は、タイムシフト録画領域９ａに作成したファイルＣへのデータの一時記録を既に開始していて、ファイルＣのデータの先頭アドレスを既にファイルＢに記録しているので、ファイルＣのデータの先頭アドレスをファイルＢから読み込んで、再生位置ＰＰをファイルＣのデータの先頭アドレスに移動する。そして移動後、制御部１は、ファイルＣに記録したデータの再生を即座に開始する。
【００３６】
その後、図７Ｂ（ｅ）に示すように現在時刻から所定時間遡ったファイルＣのデータの再生中に、データの巻戻し指令を受けると、制御部１は、再生位置ＰＰを矢印で示すようにファイルＣのデータの先頭アドレスに向けて移動して行く。そして、再生位置ＰＰをファイルＣのデータの先頭アドレスまで移動すると、制御部１は、ファイルＡに記録したデータの最終アドレスを既にファイルＣに記録しているので、当該アドレスをファイルＣから読み込み、巻戻し指令に基づいて再生位置ＰＰを矢印で示すようにファイルＡのデータの最終アドレスへ移動し、さらにファイルＡのデータの先頭アドレスに向けて移動して行く。また、図７Ｂ（ｆ）に示すように再生位置ＰＰをファイルＡのデータに移動させた後、データの早送り指令を受けると、制御部１は、再生位置ＰＰを矢印で示すようにファイルＡのデータの最終アドレスに向けて移動して行く。そして、再生位置ＰＰをファイルＡのデータの最終アドレスまで移動すると、制御部１は、ファイルＣのデータの先頭アドレスを既にファイルＡに上書き記録していて、ファイルＢのデータの先頭アドレスを無効にしているので、ファイルＣのデータの先頭アドレスをファイルＡから読み込み、早送り指令に基づいて再生位置ＰＰを矢印で示すようにファイルＣのデータの先頭アドレスへ移動し、さらにファイルＣの現在時刻のデータが記録されているアドレスに向けて移動して行く。
【００３７】
上述したように、タイムシフト中に開始した永久録画領域９ｂのファイルＢへのデータの永久記録の停止後に、タイムシフト録画領域９ａのファイルＣへのデータの一時記録を再開するとともに、ファイルＡに一時記録したデータの最終アドレスをファイルＣに記録し、ファイルＣに一時記録しているデータの先頭アドレスをファイルＡに先に記録していたファイルＢのデータの先頭アドレスに上書き記録して、ファイルＢのデータの先頭アドレスを無効にすることで、永久記録前後のタイムシフト録画領域９ａのファイルＡとファイルＣのデータを１つのデータとして扱えるようになり、永久記録開始前に一時記録したファイルＡのデータが消失されるのを防止することができる。また、タイムシフト録画領域９ａのファイルＡに一時記録していたデータの最終アドレスの次のアドレスにファイルＣを作成し、当該ファイルＣにデータを一時記録して行くことで、永久記録開始前に一時記録したファイルＡのデータが永久記録停止後に一時記録したファイルＣのデータによって上書きされて消去されるのを防止することができる。よって、Ｄｅｌａｙ再生時では、タイムシフト録画領域９ａのファイルＣへのデータの一時記録再開後も、永久記録開始前に一時記録したファイルＡのデータの再生を継続して行うことができ、Ｌｉｖｅ再生時およびＤｅｌａｙ再生時ともに、ファイルＡのデータの再生完了後は、ファイルＡに記録したファイルＣのデータの先頭アドレスにより、永久記録停止後に一時記録したファイルＣのデータの再生を連続して開始することができる。また、データの巻戻し時には、ファイルＣに記録したファイルＡのデータの最終アドレスにより、タイムシフト録画領域９ａの永久記録停止後に一時記録したファイルＣのデータから、永久記録開始前に一時記録したファイルＡのデータへと再生位置ＰＰを移動させることができる。さらに、データの早送り時には、ファイルＡに上書き記録したファイルＣのデータの先頭アドレスにより、永久記録開始前に一時記録したファイルＡのデータから、永久記録停止後に一時記録したファイルＣのデータへと再生位置ＰＰを移動させることができる。
【００３８】
また、上述したように、永久記録開始前にタイムシフト録画領域９ａのファイルＡに一時記録したデータの最終アドレスをファイルＣに記録し、永久記録停止後にファイルＣに一時記録し始めたデータの先頭アドレスをファイルＡに記録することで、ファイルＡのデータの再生中にファイルＣのデータの先頭アドレスを読み込め、ファイルＣのデータの再生中にファイルＡのデータの先頭アドレスを読み込めるので、永久記録前後のファイルＡとファイルＣのデータ間で、再生位置ＰＰを迅速に移動させることができる。
【００３９】
さらに、上述したように、ファイルＣに一時記録し始めたデータの先頭アドレスを、直前までデータを永久記録していたファイルＢに記録することで、ファイルＢのＤｅｌａｙ再生時に、ファイルＢへのデータの永久記録が停止されて、ファイルＣへのデータの一時記録が再開された場合に、ファイルＢのデータの再生が強制終了されることなく、ファイルＢのデータの再生を最後まで正常に完了した後に、ファイルＢに記録したファイルＣのデータの先頭のアドレスにより、ファイルＣのデータの再生を連続して開始することができる。さらに、ファイルＢのデータの再生中にファイルＣのデータの先頭のアドレスが読み込めるので、ファイルＢのデータからファイルＣのデータへと再生位置ＰＰを迅速に移動させることができる。
【００４０】
図８〜図１０は、本発明の他の実施形態に係るＨＤＤ／ＤＶＤレコーダ１０の動作手順を説明するための図である。なお、各動作手順は、図２〜図４で説明した動作を行った後に実行される。図８はタイムシフト中のデータの記録手順を示し、図９はタイムシフト中のＬｉｖｅ再生手順を示し、図１０はタイムシフト中のＤｅｌａｙ再生手順を示している。
【００４１】
最初に、図８において、制御部１は、前述したように予約録画の開始時刻にデータの記録指令を受けて、タイムシフト録画領域９ａのファイルＡへのデータの一時記録を停止し、永久録画領域９ｂのファイルＢへのデータの永久記録を開始した後、図８（ａ）に示すようにファイルＢにデータを随時永久記録している。このとき、ファイルＡに一時記録したデータの最終アドレスは、ファイルＢに記録されていて、ファイルＢに永久記録しているデータの先頭アドレスは、ファイルＡに記録されている。この後、図８（ｂ）に示すように予め設定された予約録画の終了時刻ＡＭ１０：３０になって、データの記録停止指令を受けると、制御部１は、永久録画領域９ｂのファイルＢへのデータの永久記録を停止する。そして直後に、制御部１は、タイムシフト録画領域９ａのファイルＡの最終アドレスの次のアドレスにこれから記録するデータ用の格納領域として、図８（ｃ）に示すようにファイルＣを作成し、当該ファイルＣに記録位置ＲＰを移動してデータの一時記録を再開する。またこの再開とともに、制御部１は、ファイルＢに永久記録していたデータの最終アドレスを、データの一時記録を再開したファイルＣに記録し、ファイルＣに一時記録しているデータの先頭アドレスを、データの永久記録を停止したファイルＢに記録する。この後、制御部１は、図８（ｄ）に示すようにタイムシフト録画領域９ａのファイルＣにデータを随時記録して行く。
【００４２】
上記のようにタイムシフト録画領域９ａまたは永久録画領域９ｂにデータを記録するのと同時に、制御部１は、記録したデータの再生を行う。図９のＬｉｖｅ再生手順では、制御部１は、図９（ａ）に示すように永久録画領域９ｂのファイルＢに永久記録している現在時刻に相当するデータの再生を行っている。この後、図９（ｂ）に示すように予約録画の終了時刻ＡＭ１０：３０になると、制御部１は、前述したようにタイムシフト録画領域９ａに作成したファイルＣへのデータの一時記録を開始するとともに、ファイルＣに永久記録しているデータの先頭アドレスをファイルＢに記録するので、当該アドレスをファイルＢから読み込んで、再生位置ＰＰを、図９（ｃ）に示すようにファイルＣのデータの先頭アドレスに移動する。移動後、制御部１は、ファイルＣに記録している現在時刻のデータの再生を即座に開始する。その後、図９（ｄ）に示すようにファイルＣに記録している現在時刻のデータの再生中に、データの巻戻し指令を受けると、制御部１は、再生位置ＰＰをファイルＣのデータの先頭アドレスに向けて移動して行く。そして、再生位置ＰＰをファイルＣのデータの先頭アドレスまで移動すると、制御部１は、ファイルＢに永久録画していたデータの最終アドレスを既にファイルＣに記録しているので、当該アドレスをファイルＣから読み込み、巻戻し指令に基づいて再生位置ＰＰを、矢印で示すようにファイルＢのデータの最終アドレスへ移動し、さらにファイルＢのデータの先頭アドレスに向けて移動して行く。この後、再生位置ＰＰをファイルＢのデータの先頭アドレスまで移動したときに、引き続き巻戻し指令があれば、制御部１は、ファイルＡに一時記録したデータの最終アドレスを既にファイルＢに記録しているので、当該アドレスをファイルＢから読み込み、巻戻し指令に基づいて再生位置ＰＰを、矢印で示すようにファイルＡのデータの最終アドレスへ移動し、さらにファイルＡのデータの先頭アドレスに向けて移動して行く。
【００４３】
一方、図１０のＤｅｌａｙ再生手順では、制御部１は、図１０（ａ）に示すようにタイムシフト録画領域９ａのファイルＡに一時記録したデータのうち、現在時刻から所定時間遡った時刻に相当するデータの再生を行っている。このとき同時に、制御部１は、前述したように永久録画領域９ｂのファイルＢへのデータの永久記録を行っている。そして、図１０（ｂ）に示すように再生位置ＰＰがファイルＡに記録したデータの最終アドレスに到達して、当該データの再生が完了すると、制御部１は、ファイルＢのデータの先頭アドレスを既にファイルＡに記録しているので、当該アドレスをファイルＡから読み込んで、再生位置ＰＰをファイルＢのデータの先頭アドレスに移動する。移動後、制御部１は、ファイルＢに記録したデータの再生を即座に開始する。そして、図１０（ｃ）に示すように再生位置ＰＰがファイルＢに記録したデータの最終アドレスに到達して、当該データの再生が完了すると、制御部１は、ファイルＣのデータの先頭アドレスを既にファイルＢに記録しているので、当該アドレスをファイルＢから読み込んで、再生位置ＰＰをファイルＣのデータの先頭アドレスに移動する。移動後、制御部１は、ファイルＣに記録したデータの再生を即座に開始する。
【００４４】
その後、図１０（ｄ）に示すように現在時刻から所定時間遡ったファイルＣのデータの再生中に、データの巻戻し指令を受けると、制御部１は、再生位置ＰＰを矢印で示すようにファイルＣのデータの先頭アドレスに向けて移動して行く。そして、再生位置ＰＰをファイルＣのデータの先頭アドレスまで移動すると、制御部１は、ファイルＢに記録したデータの最終アドレスを既にファイルＣに記録しているので、当該アドレスをファイルＣから読み込み、巻戻し指令に基づいて再生位置ＰＰを矢印で示すようにファイルＢのデータの最終アドレスへ移動し、さらにファイルＢのデータの先頭アドレスに向けて移動して行く。この後、再生位置ＰＰをファイルＢのデータの先頭アドレスまで移動したときに、引き続き巻戻し指令があれば、制御部１は、ファイルＡに一時記録したデータの最終アドレスを既にファイルＢに記録しているので、当該アドレスをファイルＢから読み込み、巻戻し指令に基づいて再生位置ＰＰを、矢印で示すようにファイルＡのデータの最終アドレスへ移動し、さらにファイルＡのデータの先頭アドレスに向けて移動して行く。
【００４５】
また、図１０（ｅ）に示すように再生位置ＰＰをファイルＡのデータに移動させた後、データの早送り指令を受けると、制御部１は、再生位置ＰＰを矢印で示すようにファイルＡのデータの最終アドレスに向けて移動して行く。そして、再生位置ＰＰをファイルＡのデータの最終アドレスまで移動すると、制御部１は、ファイルＢのデータの先頭アドレスを既にファイルＡに記録しているので、ファイルＢのデータの先頭アドレスをファイルＡから読み込み、早送り指令に基づいて再生位置ＰＰを矢印で示すようにファイルＢのデータの先頭アドレスへ移動し、さらにファイルＢのデータの最終アドレスに向けて移動して行く。この後、再生位置ＰＰをファイルＢのデータの最終アドレスまで移動したときに、引き続き早送り指令があれば、制御部１は、ファイルＣに一時記録したデータの先頭アドレスを既にファイルＢに記録しているので、当該アドレスをファイルＢから読み込み、早送り指令に基づいて再生位置ＰＰを、矢印で示すようにファイルＣのデータの先頭アドレスへ移動し、さらにファイルＣの現在時刻のデータが記録されているアドレスに向けて移動して行く。
【００４６】
上述したように、タイムシフト中に開始した永久録画領域９ｂのファイルＢへのデータの永久記録の停止後に、タイムシフト録画領域９ａのファイルＣへのデータの一時記録を再開するとともに、ファイルＢに永久記録していたデータの最終アドレスをファイルＣに記録し、ファイルＣに一時記録し始めたデータの先頭アドレスをファイルＢに記録することで、永久録画領域９ｂのファイルＢのデータとタイムシフト録画領域９ａのファイルＣのデータとを１つのデータとして扱えるようになる。また、前述したようにタイムシフト録画領域９ａのファイルＡのデータと永久録画領域９ｂのファイルＢのデータとは、既に１つのデータとして扱えるようになっている。従って、ファイルＡのデータとファイルＢのデータとファイルＣのデータとを１つのデータとして扱えるようになり、永久記録開始前に一時記録したファイルＡのデータが消失されるのを防止することができる。よって、Ｄｅｌａｙ再生時では、タイムシフト録画領域９ａのファイルＣへのデータの一時記録再開後も、永久記録開始前に記録したファイルＡのデータの再生を継続して行うことができ、Ｌｉｖｅ再生時およびＤｅｌａｙ再生時ともに、ファイルＡのデータの再生完了後は、ファイルＡに記録したファイルＢのデータの先頭アドレスにより、ファイルＢに永久記録したデータの再生を連続して開始することができ、さらにファイルＢのデータの再生完了後は、ファイルＢに記録したファイルＣの先頭アドレスにより、ファイルＣに一時記録したデータの再生を連続して開始することができる。また、データの巻戻し時には、ファイルＣに記録したファイルＢの最終アドレスと、ファイルＢに記録したファイルＡの最終アドレスとにより、永久記録停止後に一時記録したファイルＣのデータから、永久記録したファイルＢのデータと永久記録開始前に一時記録したファイルＡのデータとへ再生位置ＰＰを移動させることができる。さらに、データの早送り時には、ファイルＡに記録したファイルＢのデータの先頭アドレスと、ファイルＢに記録したファイルＣのデータの先頭アドレスとにより、永久記録開始前に一時記録したファイルＡのデータから、永久記録したファイルＢのデータと永久記録停止後に一時記録したファイルＣのデータとへ再生位置ＰＰを移動させることができる。
【００４７】
また、上述したように、ファイルＡに一時記録したデータの最終アドレスと、ファイルＣに一時記録したデータの先頭アドレスとをファイルＢに記録し、ファイルＢに永久記録したデータの先頭アドレスをファイルＡに記録し、さらにファイルＢに永久記録したデータの最終アドレスをファイルＣに記録することで、ファイルＡのデータの再生中にファイルＢのデータの先頭アドレスを読み込め、ファイルＢのデータの再生中にファイルＡのデータの最終アドレスとファイルＣのデータの先頭アドレスとを読み込め、ファイルＣのデータの再生中にファイルＢのデータの最終アドレスを読み込めるので、３つのファイルのデータ間で、再生位置ＰＰを迅速に移動させることができる。
【００４８】
以上述べた実施形態においては、タイムシフト録画領域９ａのファイルＡ、Ｃに一時記録したデータの最終アドレスまたは先頭アドレスを、永久録画領域９ｂのファイルＢに記録し、永久録画領域９ｂのファイルＢに永久記録したデータの先頭アドレスまたは最終アドレスを、タイムシフト録画領域９ａのファイルＡ、Ｃに記録した場合を例に挙げているが、本発明はこれのみに限定するものではない。これ以外に、例えばハードディスク９に、ハードディスク９内に作成したデータ記録用のファイルを管理する管理領域を設け、この管理領域にデータを記録したファイルの最終アドレスまたは先頭アドレスを随時記録するようにしてもよい。
【００４９】
また、以上の実施形態では、データの記録指令を受けたときに、ハードディスク９の永久録画領域９ｂにデータ記録用のファイルＢを作成して、このファイルＢにデータを永久記録した場合を例に挙げているが、本発明はこれのみに限定するものではない。これ以外に、例えばＨＤＤ／ＤＶＤレコーダ１０に挿入されたＤＶＤ２０に、データ記録用のファイルを作成して、そのファイルにデータを永久記録するようにしてもよい。然るに、ハードディスク９の永久録画領域９ｂに作成したファイルにデータを永久記録し、ハードディスク９のタイムシフト録画領域９ａに作成したファイルにデータを一時記録すると、タイムシフトにより一方の録画領域に記録したデータの再生終了後に、他方の録画領域に記録したデータを迅速に読み出してスムーズに再生することができるので有利である。
【００５０】
また、以上の実施形態では、タイムシフト録画領域９ａへのデータの一時記録中に、永久録画領域９ｂへのデータの永久記録を開始する場合と、その開始した永久録画領域９ｂへのデータの永久記録中に、タイムシフト録画領域９ａへのデータの一時記録を再開する場合とを例に挙げて説明したが、本発明はこれらの場合のみ限定するものではない。これらの場合以外に、例えばタイムシフト録画領域９ａへのデータの一時記録を再開した後に、さらに永久録画領域９ｂへのデータの永久記録を開始する場合や、その開始した永久録画領域９ｂへのデータの永久記録中に、タイムシフト録画領域９ａへのデータの一時記録を再々開する場合等にも、本発明は適用することが可能である。
【００５１】
さらに、以上の実施形態では、ハードディスク９とＤＶＤ２０とに対してデータの記録や再生を行うＨＤＤ／ＤＶＤレコーダ１０に、本発明を適用した場合を例に挙げているが、本発明はこれ以外にも、例えばハードディスクに対してのみデータの記録や再生を行うハードディスクレコーダや、ハードディスクとＤＶＤ以外の着脱可能なディスクとに対してデータの記録や再生を行うハードディスクレコーダのような映像記録再生装置に適用することが可能である。
【図面の簡単な説明】
【００５２】
【図１】ＨＤＤ／ＤＶＤレコーダの電気的構成を示すブロック図である。
【図２】タイムシフト中のデータの記録手順を説明するための図である。
【図３】タイムシフト中のＬｉｖｅ再生手順を説明するための図である。
【図４】タイムシフト中のＤｅｌａｙ再生手順を説明するための図である。
【図５】他の記録手順を説明するための図である。
【図６】他のＬｉｖｅ再生手順を説明するための図である。
【図７Ａ】他のＤｅｌａｙ再生手順を説明するための図である。
【図７Ｂ】他のＤｅｌａｙ再生手順を説明するための図である。
【図８】他の実施形態を示す図である。
【図９】他の実施形態を示す図である。
【図１０】他の実施形態を示す図である。
【符号の説明】
【００５３】
１    制御部
９    ハードディスク
９ａ  タイムシフト録画領域
９ｂ  永久録画領域
１０  ハードディスクレコーダ
【図１】
2005159853.tif 000003
【図２】
2005159853.tif 000004
【図３】
2005159853.tif 000005
【図４】
2005159853.tif 000006
【図５】
2005159853.tif 000007
【図６】
2005159853.tif 000008
【図７Ａ】
2005159853.tif 000009
【図７Ｂ】
2005159853.tif 000010
【図８】
2005159853.tif 000011
【図９】
2005159853.tif 000012
【図１０】
2005159853.tif 000013